(57)【特許請求の範囲】
【請求項１】
ボビンの単一の一対のフランジ間の外周に、少なくとも、一次巻線、前記ボビンの半径方向に前記一次巻線に対して重ね巻きされた二次巻線、および制御回路用電圧生成用の補助巻線それぞれの巻線層が設けられているスイッチング電源用トランスであって、
前記補助巻線の巻線層に対して、少なくとも前記補助巻線の巻線層に最近の前記一次巻線の巻線層が、前記単一の一対のフランジ間において前記ボビンの半径方向に重ならない状態で配置されている、ことを特徴とするスイッチング電源用トランス。
【請求項２】
前記一次巻線の巻線層が、複数、前記単一の一対のフランジ間の外周に設けられており、かつ、前記最近の一次巻線の巻線層の前記ボビンの高さ方向における幅を、当該最近の一次巻線の巻線層よりも前記ボビンの半径方向において遠距離位置にある他の前記一次巻線の巻線層の前記ボビンの高さ方向における幅より小さくすることで、少なくとも前記補助巻線の巻線層に対して、前記最近の一次巻線の巻線層が前記ボビンの半径方向に重ならない状態で配置されている請求項１に記載のスイッチング電源用トランス。
【請求項３】
前記他の一次巻線の巻線層は、前記ボビンの高さ方向の端部においてのみ前記ボビンの半径方向に前記補助巻線の巻線層と重なっている請求項２に記載のスイッチング電源用トランス。
【請求項４】
ボビンの単一の一対のフランジ間の外周に、一次巻線、前記ボビンの半径方向に前記一次巻線に対して重ね巻きされた二次巻線、および制御回路用電圧生成用の補助巻線の各巻線層が順次に介装されており、かつ、前記各巻線層の前記ボビンの高さ方向における両側端と前記ボビンの前記単一の一対のフランジの内周面との間に絶縁性のバリアテープが設けられたトランスであって、
前記一次巻線の巻線層が単一であるときは、前記単一の一対のフランジ間において、前記補助巻線の巻線層が当該単一の前記一次巻線の巻線層に対して前記ボビンの半径方向に重ならない状態で配置され、また、前記一次巻線の巻線層が複数有るときは、前記単一の一対のフランジ間において、前記補助巻線の巻線層に対して、当該補助巻線の巻線層に最近の前記一次巻線の巻線層が前記ボビンの半径方向に重ならない状態で配置されていることを特徴とするスイッチング電源用トランス。
【請求項５】
請求項１ないし４のいずれかに記載のトランスと、前記トランスが備える前記補助巻線に誘起する電圧を整流すると共に平滑化する整流平滑回路と、前記整流平滑回路で整流平滑化された電圧を制御回路用電圧として供給される制御回路とを備えた、ことを特徴とするスイッチング電源。
【発明の詳細な説明】
【技術分野】
【０００１】
本発明は、トランス一次側で交流電圧を整流平滑化し、トランス一次巻線に接続したスイッチングトランジスタを制御回路でスイッチング制御し、これによりトランス二次巻線側に誘起した交流電圧をトランス二次側で整流平滑化して出力負荷に供給するスイッチング電源において、前記トランスが、ボビン外周に一次巻線と二次巻線と共に制御回路用電圧生成用の一次側補助巻線が重ね巻きされてなる、スイッチング電源用のトランスに関するものである。
【背景技術】
【０００２】
図５を参照して、従来のトランスを用いたスイッチング電源の要部回路を説明する。同図において、スイッチング電源ＳＷ１において、１はトランス、２は抵抗、３は整流平滑回路、４は制御回路を示す。トランス１は、トランス一次側で直列接続された一次巻線Ｐ１，Ｐ２と、トランス二次側で並列接続された二次巻線Ｓ１，Ｓ２、および制御回路用の補助巻線Ｄを有する。
【０００３】
補助巻線Ｄに誘起した電圧は、抵抗２を介して、整流平滑回路３内の整流ダイオード５で整流されると共に平滑コンデンサ６で平滑化されて制御回路用電圧Ｖｃｃとして制御回路４に供給される。制御回路４は、前記供給された制御回路用電圧Ｖｃｃにより動作可能となって、一次巻線Ｐ１，Ｐ２に接続された図示略のスイッチングトランジスタを所定の動作周波数でスイッチング駆動する。これにより、トランス一次側電圧は、トランス二次側電圧に変換されるとともに、トランス二次側で整流平滑化されて、図示略の出力負荷に印加される。この出力負荷には出力負荷電流Ｉｏｕｔが流れる。
【０００４】
かかる従来のトランス１の巻線構造を図６（ａ）（ｂ）を参照して説明する（例えば非特許文献１参照。）。図６（ａ）は、従来のトランス１の左半分の縦断面構成を示し、図６（ｂ）はボビン外周に巻回された各巻線を図６（ａ）の矢印Ｂ方向から見た図を示す。このトランス１は縦型配置のものである。トランス１は、円筒型のボビンと、Ｅ字形コアとを具備する。図６（ａ）において、１ａはボビンでその左側縦半分の概略断面で示され、１ｂはＥ字形コアの中央脚付近のその一部が概略断面で示され、その中央脚はボビン１ａの中央貫通孔に挿通されている。１ｃ，１ｄはボビン１ａの上下両端のフランジであり、下側のフランジ１ｄは巻線巻き付け用ピンの端子台となる。ボビン１ａの外周に図示略の絶縁テープを介して前記各巻線Ｐ１，Ｐ２，Ｓ１，Ｓ２，Ｄが５層構造で巻線が巻回される巻回半径方向に順次、巻き付けられる。
【０００５】
ボビン１ａ外周から巻回半径方向外向きに、１層目に補助巻線Ｄの巻線層、２層目に二次巻線Ｓ１の巻線層、３層目に一次巻線Ｐ２の巻線層、４層目に二次巻線Ｓ２の巻線層、５層目に一次巻線Ｐ１の巻線層が、この順序で順次設けられている。各巻線層の両側端とフランジ１ｃ，１ｄ内周面との間には、絶縁のためのバリアテープＢＴが配置されている。この巻線層の順序では、１層目の補助巻線Ｄの巻線層に対して、一次巻線Ｐ２の巻線層は３層目、一次巻線Ｐ１の巻線層は５層目である。ボビン１ａの高さ方向において補助巻線Ｄの巻線層の幅がＷ１であり、他の巻線層の幅はＷ２（＞Ｗ１）である。
【０００６】
また、図６（ｂ）に示すように、従来のトランス１を矢印Ｂ方向から見ると、各巻線層はボビン１ａの高さ方向中央に位置しているので、前記巻線層の幅Ｗ１，Ｗ２の関係で、１層目の補助巻線Ｄの巻線層の全体は、２層目から５層目までの各巻線層の全てに対して、ボビン１ａ外周に巻回される巻線の巻回半径方向で重なっている。なお、図６（ｂ）では各巻線層の巻回半径方向の重なりを示すために矢印Ｂ方向から見た場合の１層目のバリアテープＢＴはその図示を略している。
【先行技術文献】
【特許文献】
【０００７】
【非特許文献１】サンケン電気社ＩＣアプリケーションノートＲｅｖ．３．１のページ１１，１２
【発明の概要】
【発明が解決しようとする課題】
【０００８】
このようなトランス１をスイッチング電源に用いた場合の出力負荷電流Ｉｏｕｔと制御回路用電圧Ｖｃｃとの関係を図７を参照して説明する。図７は横軸に出力負荷電流Ｉｏｕｔ、縦軸に制御回路用電圧Ｖｃｃをとるグラフであり、破線Ｌ１は図５のスイッチング電源回路において、補助巻線Ｄと整流ダイオード５との間に抵抗２が設けられている場合の出力負荷電流Ｉｏｕｔの上昇に伴う制御回路用電圧Ｖｃｃの変化を示すグラフである。これに対して、実線Ｌ２は補助巻線Ｄと整流ダイオード５との間に抵抗２が設けられていない場合の出力負荷電流Ｉｏｕｔの上昇に伴う制御回路用電圧Ｖｃｃの変化を示すグラフである。
【０００９】
これらグラフＬ１，Ｌ２から判るように、従来のトランス１では、前記抵抗２が補助巻線Ｄと整流ダイオード５との間に設けられていないと、出力負荷電流Ｉｏｕｔの変動に対しての制御回路用電圧Ｖｃｃの変化が大きく変化するために、制御回路４はスイッチングトランジスタに対してその動作を安定に制御できなくなる。
【００１０】
しかしながら、抵抗２を補助巻線Ｄと整流ダイオード５との間に設けた場合には、制御回路４の動作制御安定化を図ることが可能であっても、抵抗２の部品およびその組み付けのコストと、その実装スペースとが増大するのみならず、電力消費を定格出力時の電力以下とする待機モードにした場合に、当該抵抗２で電力消費がされ、待機電力を悪化させるという課題がある。
【００１１】
本発明は、上記事情に鑑みて為されたものであり、従来のトランスで補助巻線Ｄと整流ダイオード５との間に抵抗２を設けないことにして、抵抗２を設けた場合の前記課題を解消する一方、従来のトランスで補助巻線Ｄと整流ダイオード５との間に抵抗２を設けた場合と同等かそれ以上に、より有効に、出力負荷電流Ｉｏｕｔに対する制御回路用電圧Ｖｃｃの変動を抑制できるトランスおよびこれを用いたスイッチング電源を提供することを目的としている。
【課題を解決するための手段】
【００１２】
（１）本発明によるスイッチング電源用トランスは、ボビンの単一の一対のフランジ間の外周に、少なくとも、一次巻線、前記ボビンの半径方向に前記一次巻線に対して重ね巻きされた二次巻線、および制御回路用電圧生成用の補助巻線それぞれの巻線層が設けられているスイッチング電源用トランスであって、前記補助巻線の巻線層に対して、少なくとも前記補助巻線の巻線層に最近の前記一次巻線の巻線層が、前記単一の一対のフランジ間において前記ボビンの半径方向に重ならない状態で配置されていることを特徴とする。
【００１３】
本発明では、当該補助巻線の巻線層に最近の一次巻線の巻線層が、前記単一の一対のフランジ間において、前記ボビンの半径方向(以下、巻回半径方向)において重ならない状態で、配置されている。このように、補助巻線の巻線層と一次巻線の巻線層との磁気的結合が低減した巻線構造のトランスであるので、このトランスをスイッチング電源に用いると共に、前記補助巻線と、この補助巻線に誘起する電圧を整流する整流ダイオードとの間に抵抗を設けなくても、従来のトランスを用いて前記抵抗を設けた場合と比較して、出力負荷電流Ｉｏｕｔの変化に対する制御回路用電圧Ｖｃｃの変化を同等程度ないしそれ以上に抑制することができるようになった。
【００１４】
本発明の好ましい態様では、前記一次巻線の巻線層が、複数、前記単一の一対のフランジ間の外周に設けられており、かつ、前記最近の一次巻線の巻線層の前記ボビンの高さ方向における幅を、当該最近の一次巻線の巻線層よりも前記ボビンの半径方向において遠距離位置にある他の前記一次巻線の巻線層の前記ボビンの高さ方向における幅より小さくすることで、少なくとも前記補助巻線の巻線層に対して、前記最近の一次巻線の巻線層が前記ボビンの半径方向に重ならない状態で配置されている。
【００１５】
本発明の好ましい態様では、前記他の一次巻線の巻線層は、前記ボビンの高さ方向の端部においてのみ前記ボビンの半径方向に前記補助巻線の巻線層と重なっている。
【００１６】
この構成によれば、ボビン外周から巻回半径方向遠距離位置にある他の一次巻線の巻線層と二次巻線との磁気的結合を低下させることなく、補助巻線の巻線層に最近の一次巻線の巻線層が巻回半径方向で重ならずに配置されているので、補助巻線の巻線層と当該補助巻線の巻線層に最近の一次巻線の巻線層との磁気的結合を低下させることができる。
【００１７】
（２）本発明によるスイッチング電源用トランスは、ボビンの単一の一対のフランジ間の外周に、一次巻線、前記ボビンの半径方向に前記一次巻線に対して重ね巻きされた二次巻線、および制御回路用電圧生成用の補助巻線の各巻線層が順次に介装されており、かつ、前記各巻線層の前記ボビンの高さ方向における両側端と前記ボビンの前記単一の一対のフランジの内周面との間に絶縁性のバリアテープが設けられたトランスであって、
前記一次巻線の巻線層が単一であるときは、前記単一の一対のフランジ間において、前記補助巻線の巻線層が当該単一の前記一次巻線の巻線層に対して前記ボビンの半径方向に重ならない状態で配置され、また、前記一次巻線の巻線層が複数有るときは、前記単一の一対のフランジ間において、前記補助巻線の巻線層に対して、当該補助巻線の巻線層に最近の前記一次巻線の巻線層が前記ボビンの半径方向に重ならない状態で配置されていることを特徴とする。
【００１８】
この構成によれば、上記作用効果に加え、各巻線層両側にはボビン両端のフランジ内周との間にバリアテープが設けられているので、ボビン高さ方向における巻線層位置を安定に位置決めするとともに、パーティション等の仕切りをボビンに設けなくとも、補助巻線層と当該補助巻線層から最近の一次巻線層との磁気的結合を確実に低減することができる。
【００１９】
（３）本発明によるスイッチング電源は、前記本発明のトランスと、前記トランスが備える前記補助巻線に誘起する電圧を整流すると共に平滑化する整流平滑回路と、前記整流平滑回路で整流平滑化された電圧を制御回路用電圧として供給される制御回路とを備えたことを特徴とする。
【発明の効果】
【００２０】
本発明では、補助巻線の巻線層と一次巻線の巻線層とが巻回半径方向で重ならない配置としたので、補助巻線の巻線層と一次巻線の巻線層との磁気的な結合が低減する結果、補助巻線と整流ダイオードとの間に抵抗を設けなくても、従来のトランスを用いて前記抵抗を設けた場合と比較して、出力負荷電流Ｉｏｕｔの変化に対する制御回路用電圧Ｖｃｃの変化を同等程度ないしそれ以上に抑制することができる。
【００２１】
したがって、本発明のトランスをスイッチング電源に用いた場合、補助巻線と整流ダイオードとの間の前記抵抗の省略が可能となり、当該抵抗の部品や組み付けのコストが削除され、その実装スペースも不要となるうえ、当該抵抗による電力消費がなくなり、待機電力の悪化を回避することができるようになる。
【図面の簡単な説明】
【００２２】
【図１】図１は、本発明の実施形態にかかるトランスを用いたスイッチング電源の要部回路図である。
【図２】図２（ａ）は、実施形態のトランスの左半分の縦断面構成を示し、図２（ｂ）はボビン外周に巻回された各巻線を図２（ａ）の矢印Ａ方向から見た図である。
【図３】図３は、図１のトランスを図１のスイッチング電源に用いた場合において、出力負荷電流Ｉｏｕｔと制御回路用電圧Ｖｃｃとの関係を示すグラフである。
【図４】図４は、他の実施形態のトランスの左半分の縦断面構成を示す図である。
【図５】図５は、従来のトランスを用いたスイッチング電源の要部回路図である。
【図６】図６（ａ）は、従来のトランスの左半分の縦断面構成を示し、図６（ｂ）はボビン外周に巻回された各巻線を図６（ａ）の矢印Ｂ方向から見た図である。
【図７】図７は、従来のトランスを図３のスイッチング電源に用いた場合において、出力負荷電流Ｉｏｕｔと制御回路用電圧Ｖｃｃとの関係を示すグラフである。
【発明を実施するための形態】
【００２３】
以下、添付した図面を参照して、本発明の実施の形態に係るスイッチング電源用のトランスを説明する。本実施形態のトランスは、フライバック方式、フォワード方式、プッシュプル方式、ハーフブリッジ方式、フルブリッジ方式、等の各種スイッチング電源に適用することができる。
【００２４】
図１に本発明の実施形態にかかるトランスを有するスイッチング電源要部を示し、図５と対応する回路、部品等には同一の符号を付し、同一の符号に係る回路、部品等の詳しい説明は略する。図１に示すスイッチング電源ＳＷ２では、補助巻線Ｄと整流平滑回路３内の整流ダイオード５との間に、図５で示す抵抗２が設けられていないことと、実施形態のトランス１０の巻線構造が図２に示すように、従来のトランス１の巻線構造と異なっていることである。
【００２５】
図１において、１０はトランス、３は整流平滑回路、４は制御回路である。Ｐ１，Ｐ２は一次巻線、Ｓ１，Ｓ２は二次巻線、Ｄは補助巻線である。５は整流ダイオード、６は平滑コンデンサである。制御回路４は図５と同様に図示略のスイッチングトランジスタを所定の動作周波数でスイッチング駆動する。この回路では、補助巻線Ｄと整流ダイオード５との間に従来の抵抗２が設けられていない。
【００２６】
図２を参照して実施形態のトランスの巻線構造を説明する。図２（ａ）は、実施形態のトランスの左半分の縦断面構成を示し、図２（ｂ）はボビン外周に巻回された各巻線を図２（ａ）の矢印Ａ方向から見た図である。１０は実施形態のトランス、１ａはボビン、１ｂはＥ字形コア、１ｃ,１ｄはボビン１ａの上下フランジであり、各巻線Ｐ１，Ｐ２，Ｓ１，Ｓ２，Ｄは、ボビン１ａ外周に図示略の絶縁テープを介して５層構造に重なる。
【００２７】
実施形態のトランス１０では、ボビン１ａ外周から１層目は補助巻線Ｄの巻線層、２層目は一次巻線Ｐ１の巻線層、３層目は二次巻線Ｓ１の巻線層、４層目は一次巻線Ｐ２の巻線層、５層目は二次巻線Ｓ２の巻線層である。各巻線層の両側端とフランジ１ｃ，１ｄ内周面との間には、絶縁性のバリアテープＢＴが配置されている。ボビン１ａの高さ方向において１層目の補助巻線Ｄの巻線層の幅をＷ３、２層目の一次巻線Ｐ１の巻線層の幅をＷ４（＞Ｗ３）として、３層目以降の他の巻線層の幅はＷ５（＝Ｗ３＋Ｗ４）とする。
【００２８】
この巻線層の順序では、１層目の補助巻線Ｄの巻線層に対して、一次巻線Ｐ１の巻線層は２層目、一次巻線Ｐ２の巻線層は４層目である。また、図２（ｂ）に示すように、実施形態のトランス１０を矢印Ａ方向から見ると、１層目の補助巻線Ｄの巻線層に対して、２層目の一次巻線Ｐ１の巻線層はボビン１ａの外周に巻回される巻線の巻回半径方向に重ならないように設けられている。この場合、１層目の補助巻線Ｄの巻線層のフランジ１ｃ方向の端部と、２層目の一次巻線Ｐ１の巻線層のフランジ１ｄ方向の端部とが巻回半径方向で一致しているので、補助巻線Ｄの巻線層と一次巻線Ｐ１の巻線層との全体は、３層目以降の他の巻線層と巻回半径方向で重なる。
【００２９】
したがって、１層目の補助巻線Ｄの巻線層は、４層目の一次巻線Ｐ２の巻線層の下方側端部に対して幅Ｗ３でもって巻回半径方向に重なっている。なお、図２（ｂ）では１層目と２層目との巻回半径方向での重なりを示すために、矢印Ａ方向から見た場合、３層目以降のバリアテープＢＴを図示している。
【００３０】
このトランス１０の場合、１層目の補助巻線Ｄの巻線層が、２層目の一次巻線Ｐ１の巻線層とは完全に巻回半径方向で重なっていないので、従来のトランス１のそれと比較してそれら各巻線層間における磁気結合は低下している。また、１層目の補助巻線Ｄの巻線層に対して２層目の一次巻線Ｐ１の巻線層よりも巻回半径方向に遠距離位置にある４層目の一次巻線Ｐ２の巻線層においても、１層目の補助巻線Ｄの巻線層は、４層目の一次巻線Ｐ２の巻線層の端部でのみ重なっているので、従来のトランス１のそれと比較してそれら各巻線層間における磁気結合は低下している。しかも、一次巻線と二次巻線との間の磁気結合は強い方が望ましいが、ボビン１ａ外周から巻回半径方向遠距離位置にある４層目の一次巻線Ｐ２の巻線層と、３および５層目の二次巻線Ｓ１、Ｓ２の巻線層の幅を同じ（Ｗ５）としているので、４層目の一次巻線Ｐ２の巻線層と二次巻線Ｓ１、Ｓ２の巻線層との磁気結合の低下を防止することができる。
【００３１】
以上の構成を備えたトランス１０を図１のスイッチング電源に用いた場合、図３を参照して、出力負荷電流Ｉｏｕｔと制御回路用電圧Ｖｃｃとの関係を説明すると、図３は実施形態のトランス１０を用いた場合では、補助巻線Ｄと整流ダイオード５との間に抵抗を設けていないにもかかわらず、グラフＬ３に示すように、出力負荷電流Ｉｏｕｔの変化に対しての制御回路用電圧Ｖｃｃの変化は少ない。ここで、図７のグラフＬ１，Ｌ２を図３に表した場合、実施形態のトランス１０を用いると、従来のトランス１で抵抗を設けないグラフＬ２、抵抗を設けたグラフＬ１と比較しても、実施形態のトランス１０を用いた場合では、出力負荷電流Ｉｏｕｔの変化に対しての制御回路用電圧Ｖｃｃの変化は少なくなっている。
【００３２】
具体的に、本発明者により、実施形態のトランス１０の構造と同様のトランスをスイッチング電源に用いると共に、トランス一次側の交流電圧が１８７Ｖ，２３０Ｖ，２６４Ｖのそれぞれに対して、補助巻線Ｄと整流ダイオード５との間に抵抗を設けずに、出力負荷電流Ｉｏｕｔを０Ａから７Ａまで変化させて実験した場合、補助巻線で誘起し整流平滑回路で整流平滑した電圧を制御回路用電圧Ｖｃｃとして供給した結果、その制御回路用電圧Ｖｃｃは１４Ｖから僅か０．数Ｖしか変化しなかった。
【００３３】
これに対して、従来のトランス１と同様のトランスを前記スイッチング電源に用いて、補助巻線Ｄと整流ダイオード５との間に抵抗を設けずに、出力負荷電流Ｉｏｕｔを０Ａから７Ａまで変化させて実験した場合、制御回路用電圧Ｖｃｃは１４Ｖから１９Ｖまで変化した。
【００３４】
このように本発明のトランスでは、従来のそれよりも、出力負荷電流Ｉｏｕｔの変化に対する制御回路用電圧Ｖｃｃの変化は格段に小さく抑制することができるようになった。
【００３５】
なお、本発明では、実施形態のトランス１０の巻線構造に限定されるものではなく、例えば図４の巻線構造のトランス１０ａでもよい。このトランス１０ａでは、ボビン１ａ外周から１層目は補助巻線Ｄの巻線層、２層目は一次巻線Ｐ１の巻線層、３層目と４層目は二次巻線Ｓ１，Ｓ２の巻線層、５層目は一次巻線Ｐ２の巻線層であり、各巻線層の両側端とフランジ１ｃ，１ｄ内周面との間には、絶縁のためのバリアテープＢＴが配置されている。
【００３６】
この巻線層の順序では、１層目の補助巻線Ｄの巻線層に対して、図２（ａ）と同様に一次巻線Ｐ１の巻線層は２層目であるが、図２（ａ）とは異なって、３層目と４層目に二次巻線Ｓ１，Ｓ２の巻線層が配置され、５層目に一次巻線Ｐ２の巻線層が配置されていることである。
【００３７】
図４のトランス１０ａの場合も、前記トランス１０と同様、１層目の補助巻線Ｄの巻線層に対して、２層目の一次巻線Ｐ１の巻線層が巻回半径方向に重なっていない。また、１層目の補助巻線Ｄの巻線層に対して、５層目の一次巻線Ｐ２の巻線層の下方側端部においてのみ巻回半径方向に重なっている。つまり、１層目の補助巻線Ｄの巻線層は、２層目の一次巻線Ｐ１の巻線層とは完全に巻回半径方向で重ならず、１層目の補助巻線Ｄの巻線層に対して５層目の一次巻線Ｐ２の巻線層はその端部でのみ重なっている。そして、この巻線構造のトランス１０ａにおいても、前記トランス１０と同様に補助巻線Ｄと整流ダイオード５との間に抵抗を設けなくても、出力負荷電流Ｉｏｕｔの変化に対しての制御回路用電圧Ｖｃｃの変化は少ない。
【００３８】
以上説明したように本実施形態では、巻回半径方向で補助巻線の巻線層が一次巻線の巻線層に対して重ならないように配置し、また、一次巻線の巻線層が複数有るときは、少なくとも補助巻線の巻線層に最近の一次巻線の巻線層が前記補助巻線の巻線層に対して巻回半径方向で重ならないように配置して、補助巻線の巻線層と一次巻線の巻線層との磁気的な結合を低減させると、補助巻線と整流ダイオードとの間に抵抗を設けなくても、従来のトランスを用いて前記抵抗を設けた場合と比較して、出力負荷電流Ｉｏｕｔの変化に対する制御回路用電圧Ｖｃｃの変化を同等程度ないしそれ以上に抑制することができる。
【００３９】
なお、実施形態では縦型配置のトランス１０，１０ａであったが、本発明では、横型配置のトランスにも適用することができる。
【００４０】
なお、実施形態ではボビン１ａ外周に対して、補助巻線Ｄの巻線層に対して一次巻線Ｐ１，Ｐ２のいずれか一方のうち、巻回半径方向で最近の巻線層が重ならなければ、各巻線層の配置順序は任意でよい。
【００４１】
なお、実施形態では、ボビン１ａ外周には５層になって巻線層が設けられているが、スイッチング電源の回路形態に応じて、これら巻線層の数は任意であり、少なくとも一次巻線、二次巻線、および制御回路用電圧Ｖｃｃ生成のための補助巻線の３層があればよい。
【００４２】
なお、実施形態では、補助巻線Ｄの巻線層に対して、一次巻線Ｐ１，Ｐ２の巻線層のうち、最近の一次巻線Ｐ１の巻線層が巻回半径方向に重ならずに配置しているが、一次巻線Ｐ２の巻線層も、補助巻線Ｄの巻線層に対して巻回半径方向に重ならないように配置してもよい。
【符号の説明】
【００４３】
１０，１０ａ  トランス
１ａ  ボビン
１ｂ  コア
１ｃ，１ｄ  フランジ
３  整流平滑回路
５  整流ダイオード
６  平滑コンデンサ
４  制御回路
Ｐ１，Ｐ２  一次巻線
Ｓ１，Ｓ２  二次巻線
Ｄ  補助巻線
【図１】
0006009801.tif 000002
【図２】
0006009801.tif 000003
【図３】
0006009801.tif 000004
【図４】
0006009801.tif 000005
【図５】
0006009801.tif 000006
【図６】
0006009801.tif 000007
【図７】
0006009801.tif 000008